(57)【要約】【課題】複数の画像が再生されるホログラムおよびホログラムの作成方法を提供すること。【解決手段】まず、複数の原画像を作成する（ステップ２０１）。次に、各々の原画像の、フーリエ変換像を作成する（ステップ２０２）。次に、各々のフーリエ変換像を、二値化する（ステップ２０３）。次に、各々の二値化したフーリエ変換像を、配列する（ステップ２０４）。次に、レーザスキャナを用いてフィルムに出力する（ステップ２０５）。【選択図】図２
2006317963.tif 000002
【特許請求の範囲】
【請求項１】
複数の原画像をそれぞれフ−リエ変換した後、二値化した複数の画像を配列してフィルム上に出力したホログラムであって、
前記ホログラムの再生像を見るときに、見る方向、前記フィルムの位置、又は光源の位置に応じて複数の画像が再生されることを特徴とするホログラム。
【請求項２】
前記複数の原画像は、連続的に変化する画像であることを特徴とする請求項１記載のホログラム。
【請求項３】
前記二値化された複数の画像を、所定の形状を存する領域内に配列する事を特徴とする請求項１記載のホログラム。
【請求項４】
前記二値化された複数の画像を、円を分割した扇形領域に夫々配列することを特徴とする請求項３記載のホログラム。
【請求項５】
網点画像が一部に埋め込まれたことを特徴とする請求項１から請求項４のいずれかに記載されたホログラム。
【請求項６】
（ａ）複数の原画像を作成する工程と、
（ｂ）前記複数の原画像のフ−リエ変換像を作成する工程と、
（ｃ）前記複数のフ−リエ変換像を二値化する工程と、
（ｄ）前記二値化された各フ−リエ変換像を配列する工程と、
（ｅ）前記配列された画像をフィルムに出力する工程と、を具備し、
前記工程（ｄ）において、両目で再生像を見ることができるように各フ−リエ変換像を配列することを特徴とするホログラムの作成方法。
【請求項７】
前記工程（ｄ）は、前記各画像を左目用の領域と右目用の領域に配列し、
左目と右目の距離をＸ、
左目用の領域の右端と右目用の領域の左端との距離をＹ、
左目用の領域の左端と右目用の領域の右端との距離をＺ、
とすると、
Ｚ≧Ｘ＞Ｙ
となるように配列することを特徴とする請求項６記載のホログラムの作成方法。
【請求項８】
前記工程（ｄ）は、前記各画像を左目用の領域と右目用の領域に配列し、
左目の中心と右目の中心を結んだ直線を基準として
θRR：右目用の領域の右端と右目の中心を結んだ直線のなす角度
θRL：右目用の領域の左端と右目の中心を結んだ直線のなす角度
θLR：左目用の領域の右端と左目の中心を結んだ直線のなす角度
θLL：左目用の領域の左端と左目の中心を結んだ直線のなす角度
とすると、
θRL＞θLRかつθLL≧θRR
となるように配列することを特徴とする請求項６記載のホログラムの作成方法。
【発明の詳細な説明】
【技術分野】
【０００１】
本発明は、ホログラムおよびホログラムの作成方法に関するものである。
【背景技術】
【０００２】
従来のホログラムとしては、例えばあるパターンをフィルム上に出力し、そのフィルムの後方に点光源を置き、フィルムを見るとそのフィルムの後方に画像が出力するものがある（特許文献１）。
【特許文献１】特開平６-１０２８１１号公報
【発明の開示】
【発明が解決しようとする課題】
【０００３】
しかしながら、このようなホログラムは単一の画像が再生されるだけである。 本発明は、このような問題に鑑みてなされたもので、その目的とするところは、複数の画像が再生されるホログラムおよびホログラムの作成方法を提供することにある。
【課題を解決するための手段】
【０００４】
前述した目的を達成するために本発明は、複数の原画像をそれぞれフ−リエ変換した後、二値化した複数の画像を配列してフィルム上に出力したホログラムであって、前記ホログラムの再生像を見るときに、見る方向、前記フィルムの位置、又は光源の位置に応じて複数の画像が再生されることを特徴とするホログラムと、
（ａ）複数の原画像を作成する工程と、（ｂ）前記複数の原画像のフ−リエ変換像を作成する工程と、（ｃ）前記複数のフ−リエ変換像を二値化する工程と、（ｄ）前記二値化された各フ−リエ変換像を配列する工程と、（ｅ）前記配列された画像をフィルムに出力する工程と、を具備し、前記工程（ｄ）において、両目で再生像を見ることができるように各フ−リエ変換像を配列することを特徴とするホログラムの作成方法である。
【発明の効果】
【０００５】
本発明によれば、複数の画像が再生されるホログラムおよびホログラムの作成方法を提供することができる。
【発明を実施するための最良の形態】
【０００６】
以下、図面に基づいて本発明の実施の形態を詳細に説明する。図１は、本発明の１実施の形態に係るホログラムの作成方法を実施するための装置の構成図である。パーソナルコンピュータ１は、複数の原画像１１、１３、１５を作成し、フーリエ変換等の処理を行い、繰り返しパターン像を作成し、フロッピー（登録商標）ディスク（ＦＤ）３に格納する。レーザスキャナ５は、フロッピー（登録商標）ディスク３に格納された繰り返しパターン像を読み取り、フィルム３１に出力する。なお、フロッピー（登録商標）ディスク３に代えて光ディスク等を用いたり、パーソナルコンピュータ１とレーザスキャナ５とを直接接続したり、ネットワークを経由させることもできる。
【０００７】
図２は、ホログラムの作成方法を示すフローチャートである。まず、パーソナルコンピュータ１上で複数の原画像１１、１３、１５を作成する。原画像１１は「ａ」、原画像１３は「ｂ」、原画像１５は「ｃ」のパターンである。
【０００８】
次に、各々に原画像１１、１３、１５のフーリエ変換像をパーソナルコンピュータ１を用いて作成し（ステップ２０２）、各々のフーリエ変換像を二値化する（ステップ２０３）。すなわち、フーリエ変換像の１画素ごとにその位相を調べ、位相がマイナス９０度からプラス９０度の場合、ある値Ｔｐ（例えば透明）を割り当て、それ以外の場合、別のある値Ｔｍ（例えば黒）を割り当てることにより二値化を行う。Ｔｐを割り当てる範囲をマイナス９０度からプラス９０度以外にとることもできる。また、Ｔｐを割り当てる範囲を位相ではなく振幅から定めることもできる。
【０００９】
図２においてＡは、原画像１１に対応するフーリエ変換像であり、Ｂ、Ｃはそれぞれ原画像１３、１５に対応するフーリエ変換像である。
【００１０】
次に、各々に二値化したフーリエ変換像Ａ、Ｂ、Ｃを配列し（ステップ２０４）、画像２３を得る。画像２３において、領域２５−１、２５−２にはフーリエ変換像Ａが配列され、領域２７−１、２７−２にはフーリエ変換像Ｂが配列され、領域２９−１、２９−２にはフーリエ変換像Ｃが配列される。そして、領域２５−１の左端と領域２５−２の左端との距離が両目の間隔とされる。同様に、領域２７−１の左端と領域２７−２の左端との距離および領域２９−１の左端と領域２９−２の左端との距離も両目の間隔とされる。
【００１１】
このようにして配列された画像をレーザスキャナ５を用いてフィルム３１上に出力する（ステップ２０５）。
【００１２】
図３は、ステップ２０５で得られたフィルム３１を用いて画像を再生する場合の説明図である。図３R>３において、５１は人、５５は点光源である。フィルム３１の後方に点光源５５を配置し、人５１がフィルム３１を見ると、フィルム３１内の画像に対応して、点光源５５の周囲に点対象である画像５７を見ることができる。図３においては、「ａ」の画像が再生されている。
【００１３】
そして、人が見る方向を代えたり、あるいはフィルム３１を移動したり、あるいは点光源５５の位置を変えると、「ｂ」の画像や「ｃ」の画像が再生される。図４は、両目で各再生画像を見ることができる点光源の位置を示したものである。図４において、３３は左目、３５は右目を示し、４１は両目で再生像「ａ」を見ることができる光源の位置を示し、４３は両目で再生像「ｂ」を見ることができる光源の位置を示し、４５は両目で再生像「ｃ」を見ることができる光源の位置を示す。
【００１４】
図５は、フィルム３１が両目を結んだ直線と平行な場合に、両目で再生画像を見ることができるようにするために、フィルム３１上でのフーリエ変換像の配列の条件を示す説明図である。
【００１５】
図５において、Ｘは右目と左目の距離、Ｙは右目用の領域２５−２の左端と左目用の領域２５−１の右端との距離、Ｚは左目用の領域２５−１の左端と右目用の領域２５−２の右端との距離である。４１は、両目で再生像「ａ」を見ることができる光源の位置を示す。
【００１６】
両目で同じ再生像を見ることができる光源の位置が存在するための条件は、
Ｘ＞Ｙ
である。
【００１７】
また、両目で同じ再生像を見ることができる光源の位置が存在し、その領域が半無限であるための条件は、
Ｚ≧Ｘ＞Ｙ
である。
【００１８】
図６は、フィルム４２が曲面である場合に、両目で再生画像を見ることができるようにするために、フィルム４２上でのフーリエ変換像の配列の条件を示す説明図である。
【００１９】
図６において、
左目の中心と右目の中心を結んだ直線を基準として
θRRは右目用の領域２５−２の右端と右目３５の中心を結んだ直線
のなす角度、
θRLは右目用の領域２５−２の左端と右目３５の中心を結んだ直線
のなす角度、
θLRは左目用の領域２５−１の右端と左目３３の中心を結んだ直線
のなす角度、
θLLは左目用の領域２５−１の左端と左目３３の中心を結んだ直線
のなす角度である。
【００２０】
４４は、両目で再生像「ａ」を見ることができる光源の位置を示す。
両目で同じ再生像を見ることができる光源の位置が存在するための条件は、
θRL＞θLR
である。
【００２１】
また、両目で同じ再生像を見ることができる光源の位置が存在し、その領域が半無限であるための条件は、
θRL＞θLR      かつ      θLL≧θRR
である。
【００２２】
このような条件を満たすように、フーリエ変換像をフィルム３１、４２上に出力すればよい。
【００２３】
なお、本実施の形態では原画像として３種類の画像を用いたが、それ以外の数の画像を用いてもよい。また、本実施の形態では「ａ」、「ｂ」、「ｃ」という異なる画像を用いたが、「Ａ」が徐々に「Ｒ」に変化するようなパターンを作成するようにしてもよい。この場合、再生時には例えばフィルムを動かすと「Ａ」が徐々に「Ｒ」に変化するような画像が得られる。
【００２４】
図７は、ハート型の領域にフーリエ変換像を配列した場合のホログラムの説明図である。図７において、６１はフィルムであり、領域６３−１、領域６３−２には「ａ」のフーリエ変換像が記録される。領域６５−１、領域６５−２には「ｂ」のフーリエ変換像が記録される。図７において、Ｘは左目と右目の距離である。領域６３−１、６３−２、６５−１、６５−２以外には画像は記録されない。このホログラムでは、左目で領域６３−１を見て、右目で領域６３−２を見ると「ａ」の再生像が現われ、左目で領域６５−１を見て、右目で領域６５−２を見ると「ｂ」の再生像が現われる。
【００２５】
図８は、網点画像７７を埋め込んだ場合のホログラムの説明図である。図８において、７１はフィルムであり、領域７３には「ａ」のフーリエ変換像が記録され、領域７５には「ｂ」のフーリエ変換像が記録される。そして、ハート型の領域に網点画像７７が記録される。
【００２６】
図９は、円の内部の扇形の領域にフーリエ変換像を記録したホログラムの説明図である。図９において、１０１はフィルムを示し、フィルム内の円を６分割し、各扇形に「ａ」、「ｂ」、「ｃ」、「ｄ」、「ｅ」、「ｆ」のフーリエ変換像を記録させる。
【００２７】
そして、図１０、図１１に示すように、フィルム１０１を回転させることによって異なる再生像が得られる。図１０、図１１において、１０３は目、１０５は点光源を示す。図１０の場合、再生像として「ａ」が得られ、図１１の場合、再生像として「ｅ」が得られる。
【００２８】
図１２は、円の内部の扇形の領域にフーリエ変換像を記録し、両目で見ることができるホログラムの説明図である。図１２において、１１１はフィルムを示し、フィルム内の円を６分割して、各扇形に「ａ」、「ｂ」、「ｃ」のフーリエ変換像をそれぞれが点対称の領域に記録させる。
【００２９】
そして、図１３に示すように、フィルム１１１を回転させることによって異なる再生像が得られる。図１３において、１２３は左目、１２５は右目、１２７は点光源を示す。
【００３０】
図１４は、図１２に示すホログラムに網点画像を埋め込んだものである。図１４において、１３１はフィルム、７７は網点画像を示す。
【００３１】
なお、図３、図７、図８において、フィルムは長方形であったが、フィルムをメガネ状に加工して、メガネとして用いることもできる。また、図９、図１２１２、図１４に示すホログラムは風車等に利用できる。図８、図１４に示すホログラムでは網点画像として、例えば結婚式の夫婦の写真を用いれば、結婚披露宴等で利用することができる。
【図面の簡単な説明】
【００３２】
【図１】ホログラムの作成方法を実施するための装置構成図
【図２】ホログラムの作成方法を示すフローチャート
【図３】フィルム３１を用いて画像を再生する場合の説明図
【図４】両目を用いて再生像を見ることができる光源の位置を示す図
【図５】両目を用いて再生像を見ることができるためのフーリエ変換像の配列の条件を示す図
【図６】両目を用いて再生像を見ることができるためのフーリエ変換像の配列の条件を示す図
【図７】別のホログラムを示す図
【図８】別のホログラムを示す図
【図９】別のホログラムを示す図
【図１０】図９に示すホログラムの使用時の説明図
【図１１】図９に示すホログラムの使用時の説明図
【図１２】別のホログラムを示す図
【図１３】図１２に示すホログラムの使用時の説明図
【図１４】別のホログラムを示す図
【符号の説明】
【００３３】
Ａ、Ｂ、Ｃ………二値化されたフーリエ変換像
１………パーソナルコンピュータ
３………フロッピー（登録商標）ディスク
５………レーザスキャナ
１１、１３、１５………原画像
３１………フィルム
５５………点光源
【図１】
2006317963.tif 000003
【図２】
2006317963.tif 000004
【図３】
2006317963.tif 000005
【図４】
2006317963.tif 000006
【図５】
2006317963.tif 000007
【図６】
2006317963.tif 000008
【図７】
2006317963.tif 000009
【図８】
2006317963.tif 000010
【図９】
2006317963.tif 000011
【図１０】
2006317963.tif 000012
【図１１】
2006317963.tif 000013
【図１２】
2006317963.tif 000014
【図１３】
2006317963.tif 000015
【図１４】
2006317963.tif 000016